(57)【要約】【課題】踵部に補強装置を設けた靴において、この種の補強装置の持つ本来の機能を差程低下させることなく、踵にフィットし易い補強装置の構造を提供する。【解決手段】本発明の補強装置は、踵の内側の側面の一部を覆う内側面部２４ｓ，２５ｓと、踵の底面の一部を覆う底面部２４ｄ，２５ｄと、底面部２４ｄ，２５ｄから内側面部２４ｓ，２５ｓへ巻き上る内巻上部２４ｕ，２５ｕとが非発泡性の樹脂で一体に成形され、補強装置が本質的に足に沿うように内巻上部２４ｕ，２５ｕの横断面が足の湾曲に沿って湾曲していると共に、踵の背面において切欠されており、補強装置を足にフィットさせる締付部材５１，５２が設けられ、靴の踵部の外側面の方が靴の踵部の内側面よりも剛性が低く足に沿い易いように設定されている。【選択図】        図３
2005296101.tif 000002
【特許請求の範囲】
【請求項１】
足を包むアッパーの踵部に該アッパーと一体となって足に沿う補強装置を設けた靴であって、
前記補強装置は、踵の内側の少なくとも側面の一部を覆う内側面部と、踵の底面の少なくとも一部を覆う底面部と、前記底面部から内側面部へ巻き上る内巻上部とが非発泡性の樹脂で一体に成形され、
前記補強装置が本質的に足に沿うように前記内巻上部の横断面が足の湾曲に沿って湾曲していると共に、踵の背面において切欠されており、
前記補強装置を足にフィットさせる締付部材が設けられ、
靴の踵部の外側面の方が靴の踵部の内側面よりも剛性が低く足に沿い易いように設定されている靴。
【請求項２】
請求項１において、前記靴の踵部の外側面については、前記靴の踵部の内側面よりも曲げ剛性の高い材料が本質的に設けられていない靴。
【請求項３】
請求項１において、前記補強装置は、踵の外側の少なくとも側面の一部を覆う外側面部と、前記底面部から外側面部へ巻き上る外巻上部とを一体に備え、
前記補強装置が本質的に足に沿うように前記外巻上部の横断面が足の湾曲に沿って湾曲しており、
前記外側面部および外巻上部の曲げ剛性の方が、前記内側面部および内巻上部の曲げ剛性よりも小さく設定されている靴。
【請求項４】
請求項１ないし３の何れか１項において、前記締付部材は、前記補強装置を足の甲の中央に向って引き上げることを特徴とする靴。
【請求項５】
請求項３もしくは４において、前記内側面部は少なくとも前記踵骨の上端部まで覆うと共に舟状骨を殆ど覆わず、一方、前記外側面部は前記踵骨の後端の下端部から、距骨に向って踵骨の後部および下部の概ね１／２を覆うと共に、前記踵骨の前端部および上端部を覆わない靴。
【請求項６】
請求項３、４もしくは５において、前記外側面部を構成する樹脂のヤング率が、前記内側面部を構成する樹脂のヤング率よりも小さな値に設定されている靴。
【請求項７】
請求項３において、前記外側面部が前方の斜め上方に向って延びている靴。
【請求項８】
請求項１ないし７のいずれか１項において、前記内巻上部および内側面部は、前後に複数条に分けられて配置され、かつ、１つ以上の貫通孔が設けられている靴。
【請求項９】
請求項１ないし８のいずれか１項において、前記補強装置が、足の踏まず部の屈曲を防止する別の補強装置と一体に成形されている靴。
【発明の詳細な説明】
【技術分野】
【０００１】
本発明は踵部に補強装置を備えた靴に関するものである。
【背景技術】
【０００２】
陸上用のスパイクシューズにおいては、硬い樹脂からなる硬質板がアッパーを底面から覆っていると共に、足の踵を左右および底部から覆ってホールド性の向上や足の内側アーチの低下を防止している（特許文献１，２）。
【特許文献１】特許第３４６２８０７号
【特許文献２】特表２００３−５００１４１号（要約，ＦＩＧ４）
【０００３】
しかし、踵の形状や寸法は個人差が大きく、そのため、靴と足との間に隙間が生じ、これが力のロスになる場合がある。
【０００４】
前記特許文献２には、前記踵を覆うヒールカウンタ部の後部を切欠することで、金型を上方に抜き易くすることができる旨の開示がなされている。しかし、ヒールカウンタ部の足沿いを十分に向上させる点については開示されていない。
【発明の開示】
【０００５】
本発明の目的は、踵部に補強装置を設けた靴において、この種の補強装置の持つ本来の機能を差程低下させることなく、踵にフィットし易い補強装置の構造を提供することである。
【０００６】
前記目的を達成するために、本発明は、足を包むアッパーの踵部に該アッパーと一体となって足に沿う補強装置を設けた靴であって、前記補強装置は、踵の内側の少なくとも側面の一部を覆う内側面部と、踵の底面の少なくとも一部を覆う底面部と、前記底面部から内側面部へ巻き上る内巻上部とが非発泡性の樹脂で一体に成形され、前記補強装置が本質的に足に沿うように前記内巻上部の横断面が足の湾曲に沿って湾曲していると共に、踵の背面において切欠されており、前記補強装置を足の甲にフィットさせる締付部材が設けられ、靴の踵部の外側面の方が前記靴の踵部の内側面よりも剛性が低く足に沿い易いように設定されている。
【０００７】
本発明においては、踵の内側が強化されることで、着地直後の踵部の外反が抑制される。また、踵部の外反に伴って内側アーチの低下が引き起こされるが、踵の内側には内側アーチの後部が存在するので、底部、内巻上部および内側面部により覆うことで、内側アーチの低下が抑制され得る。
一方、踵の外側は剛性が低いので、外側面は踵に容易にフィットし、更に、補強装置が踵の底部および内側面にフィットし易くなる。したがって、種々の形状・寸法の踵に対して、フィットし易くなるので、力のロスが生じにくくなる。
【０００８】
なお、本発明において、締付部材としては、補強装置を足の甲の中央に向って引き上げるベルトの他に、シューレースであってもよい。
【０００９】
本発明においては、前記補強装置は、踵の外側の少なくとも側面の一部を覆う外側面部と、前記底面部から外側面部へ巻き上る外巻上部とを一体に備え、前記補強装置が本質的に足に沿うように前記外巻上部の横断面が足の湾曲に沿って湾曲しており、前記外側面部および外巻上部の曲げ剛性の方が、前記内側面部および内巻上部の曲げ剛性よりも小さく設定されているのが好ましい。
【００１０】
本発明の好ましい実施例においては、前記内側面部は少なくとも前記踵骨の上端部まで覆うと共に舟状骨を殆ど覆わず、一方、前記外側面部は前記踵骨の後端の下端部から、距骨に向って踵骨の後部および下部の概ね１／２を覆うと共に、前記踵骨の前端部および上端部を覆わない。
【００１１】
踵の内側については、前記内側面部が少なくとも踵骨隆起を覆い、望ましくは舟状骨下端部も覆うのが更に好ましい。ただし、前記内側面部は距骨上部は覆わない。
踵骨隆起と舟状骨下端部は足の内側アーチの後半分に相当する。踵骨隆起を内側面部で側方から覆うことにより、踵部の外反が抑制される。また、内側アーチの頂点に相当する舟状骨下端部を内側面部で側方及び下方から覆うことにより、踵部の外反とそれに伴うアーチの低下が抑制される。距骨上部には、内側に突出する突起（内踝）があり、この突起（内踝）は着地の際に下方に移動する。内側部材が距骨上部を覆わないのは、距骨の内側突起（内踝）との接触を防止するためである。
なお、曲げ剛性の比較的高い樹脂を使用する場合は、望ましくは、前記内側面部が少なくとも踵骨隆起を覆い、舟状骨下端部は覆わなくともよい。舟状骨下端部は覆わなくとも、曲げ剛性の高い樹脂を使用することにより、着地直後の踵部の外反とそれに伴う内側アーチの低下が抑制される。また、曲げ剛性の高い樹脂を使用しても舟状骨下端部を覆わないことで、種々のアーチの形状に沿い易くなる。
【００１２】
踵の外側については、前記外側面部が、少なくとも踵骨の下部の概ね１／２、後部の概ね１／２を踵後端から甲に向って覆うのが、更に好ましい。但し、前記外側面部は、大きくても距骨および立方骨は覆わない。
この外側面部の役割は、内側面部とは異なり、足部の動きを抑制することではなく、内・外側の部材と足とのフィット性を良くすることである。外側面部は内側面部よりも剛性が低いため、締付部材（たとえば、ベルト）の張力により全体が内側に倒れ込むような変形をする。この変形により内側面部も足に引き寄せられ、足と内側面部との密着度が高まる。
【００１３】
本発明の好ましい実施例においては、外側面部が前方の斜め上方に向って延びている。外側面部が甲に向って延びた形状になっているのは、締付部材による張力が外側面部を通じて補強装置の全体の変形に及び易くするためである。
【００１４】
本発明においては、前記靴の踵部の外側面については、前記靴の踵部の内側面よりも曲げ剛性の高い材料が本質的に設けられていないのが好ましい。ここで、「靴の踵部の内側面よりも曲げ剛性の高い材料が本質的に設けられていない」とは、踵部の内側面よりも曲げ剛性の高い材料が踵部の外側面に全く設けられていない場合や踵部の内側面よりも曲げ剛性の低い材料のみが踵部の外側面に設けられている場合を含むほか、踵部の内側面よりも曲げ剛性の高い材料が踵部の外側面に設けられている場合であっても、当該外側面の材料が内側面および底面の材料とは別体に設けられ、あるいは、不連続的に設けられていることで、全体として踵部の外側面部の方が踵部の内側面部よりも剛性が低くなっている場合を含む。
【発明を実施するための最良の形態】
【００１５】
以下、本発明の実施例を図面にしたがって説明する。
図１（ａ）〜（ｃ）は、それぞれ、陸上競技用の靴を示す内側面図、底面図および外側面図、図２は該靴の背面図である。なお、以下の説明では、右足用の靴を例示して説明する。
【００１６】
図１および図２に示すように、この陸上競技用の靴は、足を包むアッパー１と、該アッパー１の外側に設けられた靴底２とを備えている。靴底２は、非発泡体の樹脂を主材料として形成されている。図１（ｂ）に示すように、靴底２の前足部２Ｆには、該靴底２の底面から突設された金属性のスパイク３や、スパイクを別途取り付けるための金属性のスパイク取付部材４などが設けられている。
【００１７】
第１および第２樹脂１０，２０：
前記靴底２は、たとえば、熱可塑性樹脂で構成されており、ヤング率の小さい第１樹脂１０と、該第１樹脂１０よりもヤング率の大きい第２樹脂２０とからなる２色の樹脂が一体に形成されてなる。したがって、第２樹脂２０は第１樹脂１０よりも足の屈曲により生じる曲げに対する剛性が大きく設定されている。
【００１８】
第１樹脂１０：
図３（ｂ）に示すように、第１樹脂１０は、前足部２Ｆに設けた前領域１１、踵部２Ｈに設けた後領域１２、および前領域１１と後領域１２とを繋ぐ繋部１３を備えている。
図３（ａ）〜（ｃ）は、それぞれ、靴底２の内側面図、底面図および外側面図である。なお、図３では前記２色の樹脂を互いに区別するため、第２樹脂２０に網点を施している。
前領域１１はＭＰ関節から爪先の間にわたって設けられている。前記ＭＰ関節とは、基節骨Ｂ（図３（ｂ）の斜線で示した部分）と中足骨Ｃとによって構成される関節のことをいう。
【００１９】
図３（ｃ）に示すように、前記繋部１３は、足の外側面に沿って略「へ」字状に形成されており、足のアーチの外側を側面から覆っている。前記後領域１２は、後述する補強装置の一部を構成しており、踵部２Ｈの一部に設けられている。前領域１１、後領域１２および繋部１３は、互いに滑らかに接続され、一体に形成されている。
【００２０】
第２樹脂２０：
図３（ｂ）に示すように、第２樹脂２０は、第１〜第５帯状部２１〜２５および連結バー３０を備えている。第１〜４帯状部２１〜２４は、踏まず部２Ｂにおいて互いに一体に接続されており、シャンク２６を形成している。第１〜第４帯状部２１〜２４は、シャンク２６を中心に略「Ｘ」字状に滑らかに接続されている。このシャンク２６は、運動時の足のネジレを抑制する。
【００２１】
連結バー３０は、前足部２Ｆにおいて、第１帯状部２１と第２帯状部２２とを一体に連結している。第１帯状部２１、第２帯状部２２および連結バー３０は、互いに滑らかに接続され、一体に形成されている。なお、第３〜第５帯状部２３〜２５は、後述する補強装置の一部を構成している。
【００２２】
第１樹脂１０の一部は第２樹脂２０よりも下側に設けられている。連結バー３０、第１および第２帯状部２１，２２は、第１樹脂１０の前領域１１の後部と重なり合っている（オーバーラップしている）。図１（ｂ）に示すように、第１および第２帯状部２１，２２と連結バー３０は、その周縁部が前足部２Ｆにおいて、第１樹脂１０によって下側から覆われており、かつ、非周縁部（第１および第２帯状部２１，２２、ならびに、連結バー３０のうち周縁部以外の部分）が第１樹脂１０によって覆われていない。すなわち、底面側から見ると、第１および第２帯状部２１，２２と連結バー３０上の部分において、第１樹脂１０によって覆われていない部分が、略「Ｈ」字状に存在している。
【００２３】
このように、前足部２Ｆにおいて、材料特性の違う樹脂を接着する際、第１樹脂１０により第２樹脂２０の周縁部を覆うことで、接着代（接着面積）をかせぐことができ、第１樹脂と第２樹脂２０との界面での割れを防止することができる。つまり、第１樹脂１０が第２樹脂２０から剥がれ難い。
また、第１樹脂１０で、第２樹脂２０の周縁部のみを覆うことにより、第２樹脂２０の表面全体を覆う場合に比べ、靴底２の軽量化を図ることができる。
【００２４】
第２帯状部２２は、第１樹脂１０の繋部１３の前端部と若干オーバーラップしている。一方、踵部２Ｈにおいては、第３帯状部２３および第５帯状部２５の一部と第１樹脂１０の後領域１２とがオーバーラップしている。
【００２５】
つぎに、靴底２の詳細な構成について説明する。
前足部２Ｆ：
第１帯状部２１；
図３（ｂ）に示すように、第１帯状部２１は、前足部２Ｆの後端（中足骨Ｃの足長方向の概ね中央）から第１指ｆ１の第１基節骨Ｂ１近位骨頭の部位まで設けられている。第１帯状部２１は、第２，３楔状骨Ｄ２，Ｄ３の部位から、第２中足骨Ｃ２および第１中足骨Ｃ１の部位を通って、第１基節骨Ｂ１の部位に至る領域に帯状に設けられている。
【００２６】
第１帯状部２１は、第１指ｆ１の第１基節骨Ｂ１遠位骨頭の近傍まで延びて配置されていると共に、第１末節骨Ａ１まで延びていない。したがって、剛性の高い第２樹脂２０からなる第１帯状部２１が、指節間関節（末節骨Ａと基節骨Ｂとの間の関節）を越えて第１末節骨Ａ１まで延びていないから、第１末節骨Ａ１と第１基節骨Ｂ１との間を曲げることが比較的容易となる。そのため、第１指ｆ１において、第１末節骨Ａ１と第１基節骨Ｂ１との間の指節（趾節）間関節における屈曲の自由度を高めて、自然な走り易さを確保することができる。
【００２７】
第２帯状部２２；
第２帯状部２２は、前足部２Ｆの後端（中足骨Ｃの足長方向の概ね中央）から第５指ｆ５の第５基節骨Ｂ５遠位骨頭の部位まで設けられている。第２帯状部２２は、第４中足骨Ｃ４の部位から、第５中足骨Ｃ５の部位を通って、第５基節骨Ｂ５の部位に至る領域に帯状に設けられている。
【００２８】
第２帯状部２２は、前記第１帯状部２１と異なり、指節間関節を越えて第５末節骨Ａ５遠位骨頭まで延びて配置されている。したがって、第５指ｆ５については、剛性の高い第２樹脂２０からなる第２帯状部２２が、第５末節骨Ａ５と第５基節骨Ｂ５との間の屈曲を抑制することにより、不要な足の屈曲を抑制することができる。
なお、第２帯状部２２は、少なくとも第５末節骨Ａ５近位骨頭以上まで延びて配置されていれば、当該効果を得ることができる。
【００２９】
第１および第２帯状部２１，２２；
第１および第２帯状部２１，２２は、それぞれ、ＭＰ関節から基節骨Ｂ１，Ｂ５遠位骨頭に至る領域において、足の屈曲により生じる曲げに対する剛性が、当該遠位骨頭に近づくに従い、概ね徐々に小さくなるように形成されている。すなわち、前足部２Ｆの爪先に近づくに従い、屈曲し易くなっていることで、爪先に近づく程、屈曲の自由度が大きくなるように設定されている。
【００３０】
すなわち、図３（ａ）〜（ｃ）に示すように、ＭＰ関節から基節骨Ｂ１，Ｂ５遠位骨頭に近づくに従い、第１および第２帯状部２１，２２の幅および厚さが小さくなるように設定されている。たとえば、図３（ｂ）に示すように、第１および第２帯状部２１，２２は、ＭＰ関節から基節骨Ｂ１，Ｂ５遠位骨頭に近づくに従い幅が狭くなっていると共に、図３（ａ），（ｃ）に示すように、厚さが徐々に小さくなるように設定されている。
したがって、前足部２Ｆに行くに従い、第１および第２帯状部２１，２２の剛性が徐々に小さくなる。
【００３１】
図３（ａ）〜（ｃ）に示すように、第１樹脂１０の前領域１１には、底面側に突出した突出部１０ａ，１０ｂが形成されている。突出部１０ａ，１０ｂは、第１帯状部２１および第２帯状部２２の前端部を覆うと共に、当該前端部に滑らかに連なるように形成されている。図１（ｂ）に示すように、突出部１０ａ，１０ｂは前方に行くに従い、徐々に幅が狭くなり、かつ、図１（ａ），（ｂ）に示すように、厚さが徐々に小さくなっている。
したがって、前足部２Ｆに行くに従い第１および第２帯状部２１，２２の剛性が徐々に小さくなると共に、突出部１０ａ，１０ｂにより、当該部分の第１樹脂１０と第２樹脂２０とが滑らかに繋がり、剛性が徐々に小さくなる。
【００３２】
このように、前足部２Ｆの爪先に近づくに従い、屈曲し易くなっていることで、爪先に近づく程屈曲の自由度が大きくなる。
【００３３】
連結バー３０；
図３（ｂ）に示すように、前記連結バー３０は、第２指ｆ２、第３指ｆ３および第４指ｆ４の中足骨Ｃ２，Ｃ３，Ｃ４の遠位骨頭に沿って配置されている。
したがって、ヤング率の大きい第２樹脂２０で形成された連結バー３０が、ＭＰ関節よりも後方に設けられているので、該ＭＰ関節よりも後方における足の屈曲を抑制することができる。また、第２〜第４指ｆ２〜ｆ４のＭＰ関節の前方には、第２樹脂２０は配置されておらず、かつ、本質的に第２樹脂２０以上の剛性を有する樹脂は配置されていないので、第２〜第４指ｆ２〜ｆ４のＭＰ関節およびその前方における曲げを許容することができるから、前足がＭＰ関節において屈曲するのを抑制しつつ、前足の屈曲がＭＰ関節および爪先部の両方の広いエリアで生じるようにすることが可能である。
また、連結バー３０により、第１および第２帯状部２１，２２のネジレを抑制することができる。
【００３４】
一方、連結バー３０と、第１および第２帯状部２１，２２とは、それぞれ、第１指ｆ１および第５指ｆ５のＭＰ関節を概ね中心として連なって形成されている。すなわち、第１および第２帯状部２１，２２と連結バー３０との交差位置は、それぞれ、概ね、第１指ｆ１および第５指ｆ５のＭＰ関節の部位である。
【００３５】
したがって、第１指ｆ１と第５指ｆ５については、ＭＰ関節部分の剛性が最も大きいので、第１指ｆ１および第５指ｆ５についてはＭＰ関節の屈曲を抑制し、一方、第２〜第４指ｆ２〜ｆ４についてはＭＰ関節における屈曲が比較的容易となる。これにより、蹴り出し方向の内外へのブレを抑制して、前方への推進力を高めることができる。
【００３６】
なお、第１および第２帯状部２１，２２、ならびに、連結バー３０により、足の踏まず部からＭＰ関節に至る領域において、第２樹脂２０が略三角形状に形成されており、両帯状部２１，２２および連結バー３０に囲まれる部分に貫通孔が形成されている。
【００３７】
繋部１３：
図１（ｃ）に示すように、第１樹脂１０の繋部１３は、前述したとおり略「へ」字状に形成されており、当該「へ」字状の部分がアッパー１の外側から足の踏まず部の外側面にフィットする形状に形成されている。なお、繋部１３と第２樹脂２０のシャンク２６とは互いに離間して配置されており、その間には貫通孔が形成されている。
【００３８】
踵部２Ｈの補強装置：
図３（ｂ）に示す第１樹脂１０の後領域１２および第３〜第５帯状部２３〜２５は、アッパー１と一体となって足に沿う補強装置を構成している。
【００３９】
第４帯状部２４；
第４帯状部２４は、踵骨Ｇの底面から内側面にかけて覆うように設けられている。図３（ａ）に示すように、第４帯状部２４は、踵の内側面の一部を覆う内側面部２４ｓと、踵の底面の一部を覆う底面部２４ｄ（図３（ｂ））と、該底面部２４ｄから内側面部２４ｓへ巻き上がる内巻上部２４ｕとが一体に成形されている。
【００４０】
第５帯状部２５；
図３（ｂ）に示すように、第５帯状部２５は第４帯状部２４の後方に設けられており、踵骨Ｇの底面から側面にかけて設けられている。図３（ａ）に示すように、第５帯状部２５は第４帯状部２４と同様に、それぞれ、踵の一部を覆う内側面部２５ｓ、底面部２５ｄ（図３（ｂ））および内巻上部２５ｕが一体に成形されてなる。
【００４１】
第４帯状部２４および第５帯状部２５により、内巻上部２４ｕ，２５ｕおよび内側面部２４ｓ，２５ｓは前後に２条に分けられて配置されている。第４帯状部２４と第５帯状部２５とは、その内側面部２４ｓ，２５ｓの上部において接合されている。
【００４２】
図４は靴底２に荷重が加わった状態の側面図であり、図４（ａ）は右足部分の内側面側、図４（ｂ）は左足部分の外側面側を示している。
図４（ａ）に示すように、荷重が加わった状態では、第４および第５帯状部２４，２５の内側面部２４ｓ，２５ｓは、踵骨の上端部（踵骨隆起Ｇ１の上端部Ｇｕ）まで覆っていると共に、距骨Ｊを全く覆っていない。更に、第４帯状部２４の内側面部２４ｓは舟状骨Ｅの下端の一部を覆っている。
【００４３】
第３帯状部２３；
図３（ｂ）に示すように、第３帯状部２３は踵骨Ｇの底面の内側から立方骨Ｆの底面にかけて覆うように設けられている。第３帯状部２３は、踵の底面の一部を覆う底面部２３ｄを備えている。前記第５帯状部２５の底面部２５ｄは、第３帯状部２３の底面部２３ｄに接続されている。したがって、第３〜第５帯状部２３，２４，２５によって、貫通孔２０ｈが形成されている。このように、貫通孔２０ｈを形成することにより靴の軽量化を図ることができる。
【００４４】
前述のように、第１〜第４帯状部２１〜２４は、踏まず部２Ｂにおいて互いに接続され、一体に成形されている。したがって、補強部材の一部を構成する第３および第４帯状部２３，２４は、前記第１および第２帯状部２１，２２と共に、踏まず部２Ｂの屈曲を抑制するプレート状のシャンク２６を形成している。すなわち、踵部２Ｈの補強装置はシャンク２６と一体に形成されている。かかるシャンク２６によって、足のネジレを抑制することができる。
【００４５】
図２の背面図に示すように、第５帯状部２５における内側面部２５ｓは、踵部２Ｈの背面において大きく切欠されていると共に、二点鎖線で示すように、その横断面が足の湾曲に沿うように湾曲している。第４帯状部２４の横断面においても、第５帯状部２５と同様に横断面が足の湾曲に沿うように湾曲している。
【００４６】
保形部材６；
図２に示すように、踵の背面部分には第１樹脂１０および第２樹脂２０は配置されていない。当該踵の背面部分のアッパー１には、図２の破線で示すように、たとえば、厚紙などで形成された保形部材（芯材）６が介挿され、固定されている。
前記保形部材６の内側面側は、アッパー１を介して第５帯状部２５の内側面部２５ｓに固定されている。また、保形部材６の底面側は、アッパー１を介して第５帯状部２５の底面部２５ｄおよび後領域１２の底面部１２ｄに固定されている。
なお、本実施例においては、保形のために保形部材６を使用したが、必ずしもかかる保形部材を使用せずともよく、使用しない場合はよりフィット性を高めることができる。
【００４７】
第１締付部材５１；
アッパー１には、第４および第５帯状部２４，２５を足の甲ＦＵの中央に向って引き上げて固定するための第１締付部材５１が設けられている。第１締付部材５１は、第４帯状部２４の内側面部２４ｓの前部分に固定された環状部５ａと、該環状部５ａ内に挿通されたベルト状の固定部５ｂからなる。固定部５ｂは、足首の前方の足の甲ＦＵ部分に対応する位置に、アッパーの外側面部分から延びるように設けられている。固定部５ｂは、該甲ＦＵ部分から前記環状部５ａに向って延びている。固定部５ｂは、環状部５ａ内に挿通され、折り返し部分を面ファスナを用いて固定することが可能である。
【００４８】
着用時には、固定部５ｂを環状部５ａに通し、足の甲ＦＵ部分のアッパー１に向って、固定部５ｂを引き上げ、面ファスナにより固定する。
したがって、前記第１締付部材５１を締め付けて固定することにより、踵の底面、後端面および内側面が補強部材に固定される。踵の内側が第４および第５帯状部２４，２５により強化されているので、着地直後の踵部２Ｈの外反（踵骨回内）を抑制することができる。
【００４９】
また、第１締付部材５１による締付により、第４帯状部２４および第５帯状部２５による２条の内側面部２４ｓ，２５ｓが、それぞれ別個に変形するようにしてもよい。この場合、足の個人差のバラツキに容易に対応することができ、フィット性が向上する。
【００５０】
第１樹脂１０の後領域１２；
図１（ｂ），（ｃ）に示すように、第１樹脂１０の後領域１２は、踵部２Ｈの外側の側面および底面のそれぞれ一部を覆う帯状の外側面部１２ｓおよび底面部１２ｄと、底面部１２ｄから外側面部１２ｓへ巻き上がる外巻上部１２ｕとが一体に形成されている。後領域１２は、第３帯状部２３の後部と、第５帯状部２５の底面部２５ｄにオーバーラップして設けられている。
【００５１】
図４（ｂ）に示すように、靴に荷重が加わった状態では、後領域１２の外側面部１２ｓは、踵骨Ｇの後端の下端部（踵骨隆起Ｇ１の後端の下端部）Ｇｄから距骨Ｊに向って、踵骨Ｇの後端および下端の概ね１／２を覆っていると共に、踵骨隆起Ｇ１の前端部Ｇｆおよび上端部Ｇｕを覆っていない。かかる外側面部１２ｓの配置は、運動時に足の動きを阻害しないようにしつつ、後述する第２締付部材による張力が足の外側面全体の変形に及びやすくするためのものである。
【００５２】
図２の二点鎖線で示すように、第１樹脂１０の後領域１２の横断面が、足の湾曲に沿うように湾曲して形成されている。図１（ｃ）に示すように、前記外側面部１２ｓは、前方に向って斜め上方に延びている。
【００５３】
第２締付部材５２；
アッパー１には、第２締付部材５２が設けられている。第２締付部材５２は、前述の第１締付部材５１と同様に環状部５ａおよびベルト状の固定部５ｂを備えており、環状部５ａは外側面部１２ｓの延長線上のアッパー１に設けられている。固定部５ｂは、足首の前方の足の甲ＦＵ部分に対応する位置に、アッパーの内側面部分から延びるように設けられている。固定部５ｂを環状部５ａに通し、足の甲ＦＵに向って引き上げて固定することができる。このとき、前記外側面部１２ｓ、環状部５ａおよび固定部５ｂは、概ね同一直線上に位置する。
【００５４】
ここで、踵部２Ｈの底面および外側面の一部を覆う後領域１２は、前述のように、剛性が低く足に沿い易い第１樹脂１０で形成されている。したがって、第２締付部材５２を締め付けて固定することにより、後領域１２を踵部２Ｈの底面および側面に容易にフィットさせることができる。
【００５５】
一方、前記保形部材６は、第１樹脂１０の外側面部１２ｓが足の外側面に沿って変形した場合に、アッパー１が踵部２Ｈの後部に沿って変形し易いように、小さめに形成されている。すなわち、図２に示すように、保形部材６は、踵部２Ｈの後端部のみを覆うように形成されている。そのため、保形部材６はアッパーの側面の変形を阻害せず、第２締付部材５２を締め付けることにより、外側面部１２ｓが足の外側面に沿って変形し、足の外側面に外側面部１２ｓおよびアッパー１をフィットさせることができる。
したがって、補強装置の一部を構成する第１樹脂１０の後領域１２が踵の底部および外側面にフィットし易くなると共に、踵のホールド性が向上する。
なお、本実施例においては、保形のために保形部材６を使用したが、必ずしもかかる保形部材を使用せずともよく、使用しない場合はよりフィット性を高めることができる。
【００５６】
なお、前述の実施例では、締付部材５１，５２として、環状部５ａおよび面ファスナを備えた固定部５ｂを例示して説明したが、補強装置を足の甲ＦＵの中央に向って引き上げることが可能な部材であればよく、たとえば、環状部５ａおよび固定部５ｂを用いる他に、アッパー１に紐を通して締め付けるようにしてもよい。
【００５７】
また、第１樹脂１０および第２樹脂２０は、非発泡性の樹脂であればよく、熱可塑性や熱硬化性樹脂の他に、たとえば、ＦＲＰ（fiber reinforced plastic）などの繊維強化性プラスチックなどを用いることができる。
【００５８】
また、第２樹脂２０の踵部の内側部分は、必ずしも２条に形成する必要はなく、３以上の複数条に形成することも可能であるし、あるいは、貫通孔２０ｈを形成せずに第２樹脂２０の踵部の内側部分を１本の帯状部としてもよい。
【００５９】
また、第１樹脂１０の後領域１２については、必ずしも実施例に示す全ての部分を設ける必要はなく、例えば、外側面部１２ｓを全く設けないようにしてもよい。更に、第１樹脂１０の前領域１１と後領域１２とは必ずしも繋部１３によって連結されている必要はなく、繋部１３を設けずに前領域１１と後領域１２とを分断して形成してもよい。
【産業上の利用可能性】
【００６０】
本発明は、陸上競技や、フットボール、バスケットボール、ランニングなどの各種スポーツ用の靴に利用することができる。
【図面の簡単な説明】
【００６１】
【図１】（ａ）〜（ｃ）は、それぞれ、本発明の実施例にかかる靴の内側面図、底面図および外側面図である。
【図２】同靴の背面図である。
【図３】（ａ）〜（ｃ）は、それぞれ、同靴底の内側面図、底面図および外側面図である。
【図４】（ａ），（ｂ）は、それぞれ、同靴底に荷重が加わった状態を示す内側面図および外側面図である。
【符号の説明】
【００６２】
１：アッパー
２Ｂ：踏まず部
２Ｈ：踵部
１２ｓ：外側面部
１２ｕ：外巻上部
２０ｈ：貫通孔
２４ｓ，２５ｓ：内側面部
２４ｕ，２５ｕ：内巻上部
２６：シャンク
５１：第１締付部材
５２：第２締付部材
ＦＵ：足の甲
Ｅ：舟状骨
Ｇ：踵骨
Ｊ：距骨
【図１】
2005296101.tif 000003
【図２】
2005296101.tif 000004
【図３】
2005296101.tif 000005
【図４】
2005296101.tif 000006